(57)【要約】【課題】待機状態でのＥＰＧ情報取得のために多くの電源供給を必要としないテレビジョン受信機を提供することを目的とする。【解決手段】様々な放送形態受信の為の回路への電源供給を個別に制御可能にし、ＥＰＧ情報取得のための放送形態もしくは外部接続機器を設定後、待機時に必要とされる回路部分のみに電源供給を行う。【選択図】図１
2006333294.tif 000002
【特許請求の範囲】
【請求項１】
放送形態Ａを受信する第１の受信回路および前記第１の受信回路の出力からＥＰＧ情報を抽出する第１のＥＰＧ情報取得回路への電源供給のオンオフ切換を行う第１の電源供給スイッチ、または放送形態Ｂを受信する第２の受信回路および前記第２の受信回路の出力からＥＰＧ情報を抽出する第２のＥＰＧ情報取得回路への電源供給のオンオフ切換を行う第２の電源供給スイッチ、または放送形態Ｃを受信する外部機器Ｃの出力を入力する入力回路および前記入力回路の出力からＥＰＧ情報を抽出する第３のＥＰＧ情報取得回路への電源供給のオンオフ切換を行う第３の電源供給スイッチ、の中の少なくとも２以上の電源供給スイッチと、前記電源供給スイッチのオンオフを制御する制御手段とを有するテレビジョン受信機。
【請求項２】
制御手段は、利用者による放送形態の選択手段の結果に基づいて動作することを特徴とする請求項１記載のテレビジョン受信機。
【請求項３】
選択手段は、表示画面に表示されるアイコンをリモコンで指示することを特徴とする請求項２記載のテレビジョン受信機。
【請求項４】
制御手段は、優先度の高い放送形態の順に選択し、受信可能な状態にあるか否かを確認し可能な放送形態が見つかった時点で、当該放送形態に該当する電源供給スイッチのみオンし、その他の放送形態に該当する電源供給スイッチをオフすることを特徴とする請求項１記載のテレビジョン受信機。
【発明の詳細な説明】
【技術分野】
【０００１】
本発明は、違った放送形態及び外部機器からの入力信号より番組表情報を取得、表示できるテレビジョン受像機に関する。
【背景技術】
【０００２】
一般に、テレビジョン受像機における番組表を作成する為の番組表情報は、アナログ放送で使用される水平有効走査線数４８０本、飛び越し走査のアナログ映像信号（コンポジット信号）に重畳される方式や、デジタル放送での送信デジタル信号の中に重畳される方式など、放送形態により様々な送信形態がある（例えば特許文献１、非特許文献１参照。）。
【特許文献１】特開２０００−１２５２２１号公報
【非特許文献１】ＡＤＡＭＳ−ＥＰＧ概要書  Ｖｅｒ．１．０３  テレビ朝日データ株式会社
【発明の開示】
【発明が解決しようとする課題】
【０００３】
しかしながら、近年、様々な放送形態に対応したテレビジョン受信機が現れ、一つのテレビジョン受信機で、様々な形態のＥＰＧ情報の取得のための回路を備えなければならなくなり、例えば、待機状態でのＥＰＧ情報取得のためには、多くの回路を動作させておく必要があり、多くの電源供給を必要とし省電力化の妨げとなるという問題点があった。
【０００４】
本発明は待機状態でのＥＰＧ情報取得のために多くの電源供給を必要としないテレビジョン受信機を提供することを目的とする。
【課題を解決するための手段】
【０００５】
本発明のテレビジョン受信機は、放送形態Ａを受信する第１の受信回路および前記第１の受信回路の出力からＥＰＧ情報を抽出する第１のＥＰＧ情報取得回路への電源供給のオンオフ切換を行う第１の電源供給スイッチ、または放送形態Ｂを受信する第２の受信回路および前記第２の受信回路の出力からＥＰＧ情報を抽出する第２のＥＰＧ情報取得回路への電源供給のオンオフ切換を行う第２の電源供給スイッチ、または放送形態Ｃを受信する外部機器Ｃの出力を入力する入力回路および前記入力回路の出力からＥＰＧ情報を抽出する第３のＥＰＧ情報取得回路への電源供給のオンオフ切換を行う第３の電源供給スイッチ、の中の少なくとも２以上の電源供給スイッチと、前記電源供給スイッチのオンオフを制御する制御手段とを有することを特徴とする。
【０００６】
また本発明の制御手段は、利用者による放送形態の選択手段の結果に基づいて動作することを特徴とする。
【０００７】
また本発明の選択手段は、表示画面に表示されるアイコンをリモコンで指示することを特徴とする。
【０００８】
本発明の制御手段は、優先度の高い放送形態の順に選択し、受信可能な状態にあるか否かを確認し可能な放送形態が見つかった時点で、当該放送形態に該当する電源供給スイッチのみオンし、その他の放送形態に該当する電源供給スイッチをオフすることを特徴とする。
【発明の効果】
【０００９】
本発明のテレビジョン受信機は、様々な放送形態受信の為の回路への電源供給を個別に制御可能にし、ＥＰＧ情報取得のための放送形態もしくは外部接続機器を設定後、待機時に必要とされる回路部分のみに電源供給を行うことにより、必要とされる電源供給量を抑えることができる。
【発明を実施するための最良の形態】
【００１０】
（実施の形態１）
以下、図１を参照しながら説明する。図１は本発明の実施の形態１におけるテレビジョン受信機の構成を示すブロック図である。テレビジョン受信機１００は、放送形態Ａを受信する為の第１の受信回路１、放送形態Ｂを受信する為の第２の受信回路２、外部機器Ｃからの信号を入力する為の入力回路３、第１の受信回路で受信した放送形態Ａの送信信号よりＥＰＧ情報を抽出する第１のＥＰＧ情報取得回路４、第２の受信回路で受信した放送形態Ｂの送信信号よりＥＰＧ情報を抽出する第２のＥＰＧ情報取得回路５、入力回路３から入力した外部機器Ｃ１５０から出力される信号より放送形態ＣのＥＰＧ情報を取得する第３のＥＰＧ情報取得回路６、これら回路への電源供給を制御する制御手段であるマイコン７、第１の受信回路と第１のＥＰＧ情報取得回路への電源オン／オフを行う第１の電源供給スイッチ８、第２の受信回路と第２のＥＰＧ情報取得回路への電源オン／オフを行う第２の電源供給スイッチ９、入力回路３と第３のＥＰＧ情報取得回路への電源オン／オフを行う第３の電源供給スイッチ１０、マイコン７に接続された表示回路１１、メモリ１２、およびリモコン受信部１３からなる。
【００１１】
ＥＰＧ情報は特定のチャンネルにおいて放送されている。従って当該チャンネルを受信していない場合には、ＥＰＧ情報を取得することができない。そこで、テレビジョン受信機が待機状態のときなど、利用者にチャンネル選局の影響を与えない時に、当該チャンネルを選局しＥＰＧ情報を取得することが多い。
【００１２】
一つの放送形態が当該放送形態のＥＰＧ情報のみを送り他の放送形態のＥＰＧ情報を送らない場合には、テレビジョン受信機が放送形態Ａ、放送形態Ｂ、放送形態Ｃの全てのＥＰＧ情報取得に対応するには、待機状態において、第１の受信回路１、第２の受信回路２、入力回路３、第１のＥＰＧ情報取得回路４、第２のＥＰＧ情報取得回路５、第３のＥＰＧ情報取得回路６全ての受信・入力回路及びＥＰＧ情報取得回路への電源を供給する必要がある。
【００１３】
しかし、一つの放送形態が当該放送形態のＥＰＧ情報のみならず他の放送形態のＥＰＧ情報も送る場合には、不要な受信回路・入力回路への電源供給を停止することにより、待機時の消費電力を抑えることができる。例えば、放送形態Ａにて、放送形態ＡのＥＰＧ情報のみならず放送形態Ｂおよび外部機器Ｃにて受信される放送形態Ｃの３つの放送形態のＥＰＧ情報を送ってきている場合、マイコン７は、第１の電源供給スイッチ８のみをオン状態にして第１の受信回路１及び第１のＥＰＧ情報取得回路４への電源供給を行い、第２の電源供給スイッチ９及び第３の電源供給スイッチ１０をオフ状態にして第２の受信回路２、第２のＥＰＧ情報取得回路５、入力回路３、第３のＥＰＧ情報取得回路６への電源供給を停止する。
【００１４】
ＥＰＧ情報の取得に際し利用者の選択手段について以下に説明する。
【００１５】
図２は本発明の実施の形態１における表示回路１１においてＥＰＧ情報取得のための放送形態選択画面を示す模式図である。２００は表示画面、２１０はＥＰＧ情報取得放送形態の選択画面を示す表示、２２０は放送形態Ａを示すアイコン、２３０は放送形態Ｂを示すアイコン、２４０は外部機器Ｃを示すアイコンである。利用者はリモコン（図示せず）により放送形態を選択する。リモコンからリモコン受信部１３に送られた放送形態の選択情報は、メモリ１２へ登録され、待機状態に移る際には、メモリ１２に登録された情報を元に、第１の電源供給スイッチ８乃至第３の電源供給スイッチ１０の制御を行い、待機時の電力削減を行う。例えば、利用者がリモコンにより放送形態Ｂを選択した場合、マイコン７は選択情報をメモリ１２へ格納しておき、待機状態へ移る際、選択情報を呼び出し、第２の受信回路と第２のＥＰＧ情報取得回路への第２の電源供給スイッチをオンし、第１の受信回路と第１のＥＰＧ情報取得回路への第１の電源供給スイッチ、及び入力回路３と第３のＥＰＧ情報取得回路への第３の電源供給スイッチをオフする。
【００１６】
次に、ＥＰＧ情報の取得に際し利用者の選択とは無関係に行うものについて以下に説明する。
【００１７】
図３は本発明の実施の形態１におけるＥＰＧ情報取得のためのプログラムのフローチャートである。ＥＰＧ情報取得のための放送形態を選択する手段として、マイコン７に予めプログラムが組み込まれている。例えば、放送形態Ａでは、放送形態Ａ、放送形態Ｂ及び放送形態ＣのＥＰＧ情報を送っており、放送形態Ｂでは、放送形態Ｂ及び放送形態ＣのＥＰＧ情報を送っており、放送形態Ｃでは、放送形態ＣのＥＰＧ情報のみ送っている場合には、選択すべき放送形態の優先度を、放送形態Ａ、放送形態Ｂ、放送形態Ｃの順とする。ステップＳ３１０では、放送形態Ａは受信可能か否かを判断する。Ｙｅｓの場合はステップＳ３２０に進み、Ｎｏの場合はステップＳ３３０に進む。ステップＳ３２０では、第１の電源供給スイッチ８をオンし、第２の電源供給スイッチ９および第３の電源供給スイッチ１０をオフする。ステップＳ３３０では、放送形態Ｂは受信可能か否かを判断する。Ｙｅｓの場合はステップＳ３４０に進み、Ｎｏの場合はステップＳ３５０に進む。ステップＳ３４０では、第２の電源供給スイッチ９をオンし、第１の電源供給スイッチ８および第３の電源供給スイッチ１０をオフする。ステップＳ３５０では、放送形態Ｃは受信可能か否かを判断する。Ｙｅｓの場合はステップＳ３６０に進み、Ｎｏの場合はステップＳ３７０に進む。ステップＳ３６０では、第３の電源供給スイッチ１０をオンし、第１の電源供給スイッチ８および第２の電源供給スイッチ９をオフする。ステップＳ３７０では、ＥＰＧ情報取得設定なしとする。
【００１８】
このように、選択の方法として、優先度の高い放送形態より、受信可能な状態にあるか否かを確認し、可能な放送形態が見つかった時点で、該当する受信回路及びＥＰＧ情報取得回路への電源供給スイッチをオンし、その他の電源供給スイッチをオフする。例えば、テレビジョン受信機で受信可能な放送形態が、放送形態Ｂ及び放送形態Ｃとした場合、放送形態Ｂが、ＥＰＧ情報取得のための放送形態として選択され、第２の電源供給スイッチ９をオンし、第１の電源供給スイッチ８及び第３の電源供給スイッチ１０をオフする。
【００１９】
以上の様に、本発明のテレビジョン受像機は、様々な放送形態受信の為の回路への電源供給を個別に制御可能にし、ＥＰＧ情報取得のための放送形態もしくは外部接続機器を設定後、待機時に必要とされる回路部分への電源供給だけを行うことを特徴とする。
【００２０】
尚、以上の説明では放送形態Ａ、放送形態Ｂ、放送形態Ｃの３個の放送形態の場合について説明したが、複数の任意の放送形態の場合であってもよい。
【産業上の利用可能性】
【００２１】
本発明のテレビジョン受信機は、様々な放送形態受信の為の回路への電源供給を個別に制御可能にし、ＥＰＧ情報取得のための放送形態もしくは外部接続機器を設定後、待機時に必要とされる回路部分のみに電源供給を行うことにより、必要とされる電源供給を抑えることができるテレビジョン受信機として有用である。
【図面の簡単な説明】
【００２２】
【図１】本発明の実施の形態１におけるテレビジョン受信機の構成を示すブロック図
【図２】本発明の実施の形態１における表示回路においてＥＰＧ情報取得のための放送形態選択画面を示す模式図
【図３】本発明の実施の形態１におけるＥＰＧ情報取得のためのプログラムのフローチャート
【符号の説明】
【００２３】
１    第１の受信回路
２    第２の受信回路
３    入力回路
４    第１のＥＰＧ情報取得回路
５    第２のＥＰＧ情報取得回路
６    第３のＥＰＧ情報取得回路
７    マイコン
８    第１の電源供給スイッチ
９    第２の電源供給スイッチ
１０    第３の電源供給スイッチ
１１    表示回路
１２    メモリ
１３    リモコン受信部
１００    テレビジョン受信機
１５０    外部機器Ｃ
【図１】
2006333294.tif 000003
【図２】
2006333294.tif 000004
【図３】
2006333294.tif 000005